(57)【特許請求の範囲】
【請求項１】
差動入出力の比較回路において、
制御信号に基づき印加された差動の入力信号の極性を反転させて出力する第１の極性反転回路と、
この第１の極性反転回路の差動の出力がそれぞれ印加される差動比較器と、
前記制御信号に基づき前記差動比較器の差動出力の極性を反転させて差動の出力信号として出力する第２の極性反転回路と、
前記第１及び第２の極性反転回路に前記差動比較器の入力部を構成するトランジスタの熱時定数よりも短い周期でランダムに極性を反転させる前記制御信号を供給する演算制御手段と
を備えたことを特徴とする比較回路。
【請求項２】
差動入出力の比較回路において、
制御信号に基づき印加された差動の入力信号の極性を反転させて出力する第１の極性反転回路と、
この第１の極性反転回路の差動の出力がそれぞれ印加される差動比較器と、
前記制御信号に基づき前記差動比較器の差動出力の極性を反転させて差動の出力信号として出力する第２の極性反転回路と、
前記第１及び第２の極性反転回路に前記差動比較器の入力部を構成するトランジスタの熱時定数よりも短い周期でランダムに極性を反転させる前記制御信号を供給する信号発生手段と
を備えたことを特徴とする比較回路。
【請求項３】
前記演算制御手段若しくは前記信号発生手段が、
前記制御信号によって前記第１及び第２の極性反転回路の極性反転の状態を同じにして動作させることを特徴とする
請求項１若しくは請求項２記載の比較回路。
【請求項４】
前記第１の極性反転回路が、
前記差動の入力信号の一方の信号が一方の入力端子に前記差動の入力信号の他方の信号が他方の入力端子にそれぞれ印加され、選択された信号を出力する第１の切り替えスイッチと、
前記差動の入力信号の他方の信号が一方の入力端子に前記差動の入力信号の一方の信号が他方の入力端子にそれぞれ印加され、選択された信号を出力する第２の切り替えスイッチとから構成され、
前記制御信号に基づき前記第１及び第２の切り替えスイッチがそれぞれ一方の入力端子若しくは他方の入力端子を選択することを特徴とする
請求項１乃至請求項３のいずれかに記載の比較回路。
【請求項５】
前記第２の極性反転回路が、
前記差動比較器の一方の出力が一方の入力端子に前記差動比較器の他方の出力が他方の入力端子にそれぞれ印加され、選択された信号を出力する第１の切り替えスイッチと、
前記差動比較器の他方の出力が一方の入力端子に前記差動比較器の一方の出力が他方の入力端子にそれぞれ印加され、選択された信号を出力する第２の切り替えスイッチとから構成され、
前記制御信号に基づき前記第１及び第２の切り替えスイッチがそれぞれ一方の入力端子若しくは他方の入力端子を選択することを特徴とする
請求項１乃至請求項３のいずれかに記載の比較回路。
【発明の詳細な説明】
【技術分野】
【０００１】
本発明は、差動入出力の比較回路に関し、特に入力信号の変化速度に起因するオフセット電圧の発生を防止することが可能な比較回路に関する。
【背景技術】
【０００２】
従来の比較回路に関連する先行技術文献としては次のようなものがある。
【０００３】
【特許文献１】特開平０１−１５７６０６号公報
【特許文献２】特開平０６−０１３８５４号公報
【特許文献３】特開平１０−０７９６５１号公報
【特許文献４】特開２０００−２３６２３８号公報
【０００４】
図４は従来の比較回路の一例を示す回路図である。図４において１，２，６，９及び１２は抵抗、３，４，５，７，８，１０及び１１はトランジスタ、１００及び１０１は差動の入力信号、１０２はバイアス電圧信号、１０３及び１０４は差動の出力信号である。
【０００５】
また、１，２，３，４，５及び６は差動回路を、７，８，９，１０，１１及び１２は２つのエミッタフォロワ回路から成る出力段回路をそれぞれ構成している。
【０００６】
さらに、入力信号１０１は入力信号１００の反転信号、出力信号１０４は出力信号１０３の反転信号である。
【０００７】
入力信号１００及び１０１はトランジスタ３及び４のベースにそれぞれ印加される。また、トランジスタ３のコレクタは抵抗１の一端及びトランジスタ１０のベースにそれぞれ接続され、トランジスタ４のコレクタは抵抗２の一端及びトランジスタ７のベースにそれぞれ接続される。
【０００８】
トランジスタ３のエミッタはトランジスタ４のエミッタ及びトランジスタ５のコレクタにそれぞれ接続され、トランジスタ５のエミッタは抵抗６の一端に接続される。
【０００９】
トランジスタ７のエミッタからは出力信号１０３が出力されると共にトランジスタ７のエミッタはトランジスタ８のコレクタに接続され、トランジスタ８のエミッタは抵抗９の一端に接続される。
【００１０】
また、トランジスタ１０のエミッタからは出力信号１０４が出力されると共にトランジスタ１０のエミッタはトランジスタ１１のコレクタに接続され、トランジスタ１１のエミッタは抵抗１２の一端に接続される。
【００１１】
最後に、バイアス電圧信号１０２はトランジスタ５，８及び１１のベースにそれぞれ印加され、正電圧源”ＶＣＣ”が抵抗１及び２の他端、トランジスタ７及び１０のコレクタにそれぞれ印加され、負電圧源”ＶＥＥ”が抵抗６，９及び１２の他端にそれぞれ印加される。
【００１２】
ここで、図４に示す従来例の動作を説明する。トランジスタ５及び抵抗６は、トランジスタ５のベースに印加されるバイアス電圧と抵抗６の抵抗値によって一意に決定される電流を出力する定電流源として動作する。
【００１３】
すなわち、バイアス電圧を”Ｖｂｉａｓ”、トランジスタ５のベース・エミッタ間電圧を”Ｖｂｅ５”、抵抗６の抵抗値を”Ｒ６”とした場合、定電流”Ｉ１”は、
Ｉ１＝（Ｖｂｉａｓ−Ｖｂｅ５−ＶＥＥ）／Ｒ６      （１）
となる。
【００１４】
そして、トランジスタ３及び４は差動回路を構成しているので入力される差動の入力信号１００及び１０１の信号レベルによって前述の定電流”Ｉ１”を切り替えるように動作する。
【００１５】
もし、入力信号１００がハイレベル（反転信号である入力信号１０１はローレベル）であれば、トランジスタ３が”ＯＮ”、トランジスタ４が”ＯＦＦ”になる。
【００１６】
このため、抵抗１の抵抗値を”Ｒ１”とすれば、トランジスタ３のコレクタの電圧は、抵抗１に電流”Ｉ１”が流れることにより、”ＶＣＣ−Ｒ１・Ｉ１”となる。
【００１７】
この電圧がトランジスタ１０及び１１と抵抗１２で構成されるエミッタフォロワ回路を介して出力信号１０４（反転信号）として出力されるので、その電圧値を”Ｖ１０４”、トランジスタ１０のベース・エミッタ間電圧を”Ｖｂｅ１０”とすれば、
Ｖ１０４＝ＶＣＣ−Ｒ１・Ｉ１−Ｖｂｅ１０      （２）
となる。また、式（２）の電圧値はローレベルになる。
【００１８】
一方、トランジスタ４のコレクタの電圧は、抵抗２に電流が流れないので、”ＶＣＣ”のままとなる。
【００１９】
この電圧がトランジスタ７及び８と抵抗９で構成されるエミッタフォロワ回路を介して出力信号１０３（非反転信号）として出力されるので、その電圧値を”Ｖ１０３”、トランジスタ７のベース・エミッタ間電圧を”Ｖｂｅ７”とすれば、
Ｖ１０３＝ＶＣＣ−Ｖｂｅ７      （３）
となる。また、式（３）の電圧値はハイレベルになる。
【００２０】
同様に、もし、入力信号１００がローレベル（反転信号である入力信号１０１はハイレベル）であれば、トランジスタ３が”ＯＦＦ”、トランジスタ４が”ＯＮ”になると共に、出力信号１０３（非反転信号）及び出力信号１０４（反転信号）の出力はそれぞれローレベルの電圧値及びハイレベルの電圧値となる。
【００２１】
この結果、差動の入力信号が印加される差動回路の差動の出力を出力段回路を介して出力することにより、差動入出力の比較回路を実現することができる。
【発明の開示】
【発明が解決しようとする課題】
【００２２】
しかし、図４に示すような従来例では、入力信号の変化速度に起因してオフセット電圧が発生してしまうといった問題点があった。図５は比較回路の入力部のトランジスタの動作を説明する説明図である。
【００２３】
入力信号１００の電圧値が入力信号１０１の電圧値よりも十分小さい場合、トランジスタ３が”ＯＦＦ”、トランジスタ４が”ＯＮ”になり、定電流”Ｉ１”は全てトランジスタ４を流れることになる。
【００２４】
ここで、トランジスタ３及び４の消費電力を”Ｐｗ３”及び”Ｐｗ４”、トランジスタ３及び４の熱抵抗を”θ”、トランジスタ４における電力消費による温度上昇を”ΔＴ４”とした場合、
ΔＴ４＝Ｐｗ４・θ［°Ｃ］      （４）
となる。
【００２５】
一方、トランジスタ３には電流が流れず電力消費（Ｐｗ３＝０）がないので、トランジスタ３における電力消費による温度上昇を”ΔＴ３”とした場合、
ΔＴ３＝Ｐｗ３・θ＝０［°Ｃ］      （５）
となる。
【００２６】
このような状態で、図５に示すように、トランジスタ３及び４の熱時定数”τ”よりも十分短い時間で、トランジスタ３及び４に流れる電流が等しくなるように入力信号１００及び１０１の電圧値が変化した場合を想定する。
【００２７】
この場合、図５に示すようにトランジスタ３及び４には均等に電流”Ｉ１／２”が流れるので、両者の消費電力はほぼ同じなる（Ｐｗ３≒Ｐｗ４）。但し、入力信号１００及び１０１の電圧値の変化が熱時定数”τ”よりも短い時間で変化するため、トランジスタ３及び４において温度の変化が生じることがない。
【００２８】
このため、トランジスタ３及び４のベース・エミッタ間電圧”Ｖｂｅ”の温度係数を”−２ｍＶ／°Ｃ”とした場合、トランジスタ３及び４に均等に電流”Ｉ１／２”が流れていたとしても、トランジスタ３及び４のベース・エミッタ間電圧の間には”−２・Ｐｗ４・θ［ｍＶ］”なる電圧差が生じることになる。
【００２９】
さらに、トランジスタ３及び４に均等に電流”Ｉ１／２”が流れている場合、出力電圧１０３及び１０４の電圧値は等しくなるので、前述の電圧差”−２・Ｐｗ４・θ［ｍＶ］”がオフセット電圧として生じてしまうことになる。
【００３０】
これに対して、式（４）及び式（５）を満たすような状態で、図５に示すように、トランジスタ３及び４の熱時定数”τ”よりも十分長い時間で、トランジスタ３及び４に流れる電流が等しくなるように入力信号１００及び１０１の電圧値が変化した場合を想定する。
【００３１】
この場合、入力信号１００及び１０１の電圧値の変化がトランジスタ３及び４の熱時定数”τ”よりも十分長い時間で変化するため、図４に示すようにトランジスタ３及び４に均等に電流”Ｉ１／２”が流れて両者の消費電力はほぼ同じなる（Ｐｗ３≒Ｐｗ４）時点では、トランジスタ３及び４においても温度の変化が生じて両者の温度変化はほぼ等しく（ΔＴ３≒ΔＴ４）なる。
【００３２】
このため、トランジスタ３及び４のベース・エミッタ間電圧の間には前述のような電圧差が生じることはなく、オフセット電圧も発生しないことになる。言い換えれば、入力信号の変化速度に起因してオフセット電圧が発生してしまうことになる。
従って本発明が解決しようとする課題は、入力信号の変化速度に起因するオフセット電圧の発生を防止することが可能な比較回路を実現することにある。
【課題を解決するための手段】
【００３３】
このような課題を達成するために、本発明のうち請求項１記載の発明は、
差動入出力の比較回路において、
制御信号に基づき印加された差動の入力信号の極性を反転させて出力する第１の極性反転回路と、この第１の極性反転回路の差動の出力がそれぞれ印加される差動比較器と、前記制御信号に基づき前記差動比較器の差動出力の極性を反転させて差動の出力信号として出力する第２の極性反転回路と、前記第１及び第２の極性反転回路に前記差動比較器の入力部を構成するトランジスタの熱時定数よりも短い周期でランダムに極性を反転させる前記制御信号を供給する演算制御手段とを備えたことにより、入力信号の変化速度に起因するオフセット電圧の発生を防止することが可能になる。
【００３４】
請求項２記載の発明は、
差動入出力の比較回路において、
制御信号に基づき印加された差動の入力信号の極性を反転させて出力する第１の極性反転回路と、この第１の極性反転回路の差動の出力がそれぞれ印加される差動比較器と、前記制御信号に基づき前記差動比較器の差動出力の極性を反転させて差動の出力信号として出力する第２の極性反転回路と、前記第１及び第２の極性反転回路に前記差動比較器の入力部を構成するトランジスタの熱時定数よりも短い周期でランダムに極性を反転させる前記制御信号を供給する信号発生手段とを備えたことにより、入力信号の変化速度に起因するオフセット電圧の発生を防止することが可能になる。
【００３５】
請求項３記載の発明は、
請求項１若しくは請求項２記載の発明である比較回路において、
前記演算制御手段若しくは前記信号発生手段が、
前記制御信号によって前記第１及び第２の極性反転回路の極性反転の状態を同じにして動作させることにより、入力信号の変化速度に起因するオフセット電圧の発生を防止することが可能になる。
【００３６】
請求項４記載の発明は、
請求項１乃至請求項３のいずれかに記載の発明である比較回路において、
前記第１の極性反転回路が、
前記差動の入力信号の一方の信号が一方の入力端子に前記差動の入力信号の他方の信号が他方の入力端子にそれぞれ印加され、選択された信号を出力する第１の切り替えスイッチと、前記差動の入力信号の他方の信号が一方の入力端子に前記差動の入力信号の一方の信号が他方の入力端子にそれぞれ印加され、選択された信号を出力する第２の切り替えスイッチとから構成され、前記制御信号に基づき前記第１及び第２の切り替えスイッチがそれぞれ一方の入力端子若しくは他方の入力端子を選択することにより、入力信号の変化速度に起因するオフセット電圧の発生を防止することが可能になる。
【００３７】
請求項５記載の発明は、
請求項１乃至請求項３のいずれかに記載の発明である比較回路において、
前記第２の極性反転回路が、
前記差動比較器の一方の出力が一方の入力端子に前記差動比較器の他方の出力が他方の入力端子にそれぞれ印加され、選択された信号を出力する第１の切り替えスイッチと、前記差動比較器の他方の出力が一方の入力端子に前記差動比較器の一方の出力が他方の入力端子にそれぞれ印加され、選択された信号を出力する第２の切り替えスイッチとから構成され、前記制御信号に基づき前記第１及び第２の切り替えスイッチがそれぞれ一方の入力端子若しくは他方の入力端子を選択することにより、入力信号の変化速度に起因するオフセット電圧の発生を防止することが可能になる。
【発明の効果】
【００３８】
本発明によれば次のような効果がある。
請求項１，２，３，４及び請求項５の発明によれば、差動比較器の入力側と出力側とに極性反転回路をそれぞれ設け、２つの極性反転回路の極性反転の状態を同じにして、差動比較器の入力部を構成するトランジスタの熱時定数よりも短い周期でランダムに極性を反転させることにより、入力信号の変化速度に起因するオフセット電圧の発生を防止することが可能になる。
【発明を実施するための最良の形態】
【００３９】
以下本発明を図面を用いて詳細に説明する。図１は本発明に係る比較回路の一実施例を示す回路図である。
【００４０】
図１において、１３及び１５は制御信号に基づき入力される差動信号の極性を反転させて出力する極性反転回路、１４は入出力が差動である差動比較器、１６はＣＰＵ（Central Processing Unit）等の極性反転回路１３及び１５を制御する演算制御手段、１０５及び１０６は差動の入力信号、１０７及び１０８は差動の出力信号、１０９は制御信号である。また、差動比較器１４の具体的な構成は図４に示す従来例と同様の構成である。
【００４１】
さらに、図１中”ＩＰ０１”，”ＩＰ０２”，”ＩＰ０３”及び”ＩＰ０４”は極性反転回路１３の第１、第２、第３及び第４の入力端子、図１中”ＯＰ０１”及び”ＯＰ０２”は極性反転回路１３の第１及び第２の出力端子である。
【００４２】
また、図１中”ＩＰ１１”，”ＩＰ１２”，”ＩＰ１３”及び”ＩＰ１４”は極性反転回路１５の第１、第２、第３及び第４の入力端子、図１中”ＯＰ１１”及び”ＯＰ１２”は極性反転回路１５の第１及び第２の出力端子である。
【００４３】
入力信号１０５は極性反転回路１３の第１及び第４の入力端子に印加され、入力信号１０６は極性反転回路１３の第２及び第３の入力端子に印加される。また、極性反転回路１３の第１及び第２の出力端子は差動比較器１４の非反転入力端子及び反転入力端子にそれぞれ接続される。
【００４４】
そして、差動比較器１４の非反転出力は極性反転回路１５の第１及び第４の入力端子にそれぞれ接続され、差動比較器１４の反転出力は極性反転回路１５の第２及び第３の入力端子にそれぞれ接続される。
【００４５】
さらに、極性反転回路１３の第１及び第２の出力端子からは差動の出力信号１０７及び１０８が出力され、演算制御手段１６からの制御信号１０９は極性反転回路１３及び１５の制御入力端子にそれぞれ接続される。
【００４６】
ここで、図１に示す実施例の動作を図２及び図３を用いて説明する。図２は極性反転回路１３及び１５の構成の具体例を示す説明図、図３は制御信号１０９の一例を示す説明図である。
【００４７】
図２において１０５，１０６，１０７，１０８，１０９，”ＩＰ０１”，”ＩＰ０２”，”ＩＰ０３”，”ＩＰ０４”，”ＩＰ１１”，”ＩＰ１２”，”ＩＰ１３”，”ＩＰ１４”，”ＯＰ０１”，”ＯＰ０２”，”ＯＰ１１”及び”ＯＰ１２”は図１と同一符号を付してある。
【００４８】
入力信号１０５は、図２中”ＩＰ０１”及び”ＩＰ０４”に示す極性反転回路１３の第１及び第４の入力端子に接続され、図２中”ＳＷ２１”に示す切り替えスイッチの一方の入力端子と、図２中”ＳＷ２２”に示す切り替えスイッチの一方の入力端子にそれぞれ接続される。
【００４９】
また、入力信号１０６は、図２中”ＩＰ０２”及び”ＩＰ０３”に示す極性反転回路１３の第２及び第３の入力端子に接続され、図２中”ＳＷ２１”に示す切り替えスイッチの他方の入力端子と、図２中”ＳＷ２２”に示す切り替えスイッチの他方の入力端子にそれぞれ接続される。
【００５０】
そして、図２中”ＳＷ２１”及び”ＳＷ２２”に示す切り替えスイッチの出力端子は、図２中”ＯＰ０１”及び”ＯＰ０２”に示す極性反転回路１３の第１及び第２の出力端子にそれぞれ接続される。
【００５１】
さらに、制御信号１０９に基づき図２中”ＳＷ２１”及び”ＳＷ２２”に示す切り替えスイッチの切り替え動作が制御される。
【００５２】
一方、極性反転回路１５においても極性反転回路１３と同様に接続関係を有し、制御信号１０９に基づき図２中”ＳＷ２１”及び”ＳＷ２２”に示す切り替えスイッチの切り替え動作が制御される。
【００５３】
また、制御信号１０９は図３中”ＣＳ３１”に示すようにランダム信号であり、図３中”Ｔ１”、”Ｔ２”、”Ｔ３”及び”Ｔ４”等に示す全ての期間は、差動比較器１４の入力部を構成するトランジスタ３及び４の熱時定数”τ”よりも短い周期で切り替わる。
【００５４】
例えば、制御信号１０９がハイレベルの場合に、図２中”ＳＷ２１”及び”ＳＷ２２”に示す切り替えスイッチは、極性反転回路１３(或いは、極性反転回路１５）の第１及び第３の入力端子を選択（極性非反転状態と呼ぶ。）し、制御信号１０９がローレベルの場合に、図２中”ＳＷ２１”及び”ＳＷ２２”に示す切り替えスイッチは、極性反転回路１３(或いは、極性反転回路１５）の第２及び第４の入力端子を選択（極性反転状態と呼ぶ。）するものとする。
【００５５】
制御信号１０９がハイレベルの場合、言い換えれば、２つの極性反転回路１３及び１５が極性非反転状態である場合、入力信号１０５は図１中”ＯＰ０１”に示す極性反転回路１３の第１の出力端子から出力され、差動比較器１４の非反転入力端子に印加される。差動比較器１４の非反転出力は図１中”ＯＰ１１”に示す極性反転回路１５の第１の出力端子から出力信号１０７として出力される。
【００５６】
同様に、入力信号１０６は図１中”ＯＰ０２”に示す極性反転回路１３の第２の出力端子から出力され、差動比較器１４の反転入力端子に印加される。差動比較器１４の反転出力は図１中”ＯＰ１２”に示す極性反転回路１５の第２の出力端子から出力信号１０８として出力される。
【００５７】
一方、制御信号１０９がローレベルの場合、言い換えれば、２つの極性反転回路１３及び１５が極性反転状態である場合、入力信号１０５は極性が反転されて図１中”ＯＰ０２”に示す極性反転回路１３の第２の出力端子から出力され、差動比較器１４の反転入力端子に印加される。差動比較器１４の反転出力は極性が更に反転されて図１中”ＯＰ１１”に示す極性反転回路１５の第１の出力端子から出力信号１０７として出力される。
【００５８】
同様に、入力信号１０６は極性が反転されて図１中”ＯＰ０１”に示す極性反転回路１３の第１の出力端子から出力され、差動比較器１４の非反転入力端子に印加される。差動比較器１４の非反転出力は極性が更に反転されて図１中”ＯＰ１２”に示す極性反転回路１５の第２の出力端子から出力信号１０８として出力される。
【００５９】
すなわち、極性反転回路１３及び１５において、差動比較器の入力側と出力側とで極性反転の状態を同じにすることにより、極性反転回路１３及び１５が制御信号１０９によってランダムに切り替わったとしても、差動の入力信号１０５及び１０６と差動の出力信号１０７及び１０８の相互関係は変化しない、言い換えれば、差動の出力信号は極性反転の状態に関わりなく同じ出力結果となる。
【００６０】
このような状態では、差動比較器１４の入力の極性がランダムに反転されるため、差動比較器１４への差動入力信号の電圧の時間平均は”０”になる。このため、差動比較器１４の入力部を構成するトランジスタ３及び４の平均消費電力は等しくなる。
【００６１】
一方、極性の反転は差動比較器１４の入力部を構成するトランジスタ３及び４の熱時定数”τ”よりも短い周期で行われるため、トランジスタ３及び４の温度は極性の反転によっては変化せず（温度変化が追従できない）、差動比較器１４の入力部を構成するトランジスタ３及び４の平均消費電力によって温度上昇は決定される。
【００６２】
ここで、差動比較器１４の入力部を構成するトランジスタ３及び４の均消費電力は前述のように等しいので、差動比較器１４の入力部を構成するトランジスタ３及び４の温度上昇も等しくなり、入力信号の変化速度に起因するオフセット電圧も発生しないことになる。
【００６３】
この結果、差動比較器１４の入力側と出力側とに極性反転回路をそれぞれ設け、２つの極性反転回路の極性反転の状態を同じにして、差動比較器１４の入力部を構成するトランジスタ３及び４の熱時定数”τ”よりも短い周期でランダムに極性を反転させることにより、入力信号の変化速度に起因するオフセット電圧の発生を防止することが可能になる。
【００６４】
なお、図１に示す実施例の説明に際しては、極性反転回路として２つの切り替えスイッチから構成される極性反転回路を例示しているが、勿論、これに限定されるわけではく、排他的論理和回路を用いることによっても極性反転回路は実現可能である。
【００６５】
すなわち、排他的論理和回路の一方の入力端子に一方の入力信号を印加し、他方の入力端子に制御信号１０９を印加すれば、制御信号１０９がローレベルであれば、排他的論理和回路の出力は入力信号の極性に一致し、制御信号１０９がハイレベルであれば、排他的論理和回路の出力は入力信号の極性が反転した信号になる。
【００６６】
また、図１に示す実施例の説明に際しては、極性反転回路１３及び１５の制御手段としてＣＰＵ等の演算制御手段を例示しているが、勿論、差動比較器１４の入力部を構成するトランジスタ３及び４の熱時定数”τ”よりも短い周期で切り替わるランダム信号を発生させることができる信号発生手段であっても構わない。
【図面の簡単な説明】
【００６７】
【図１】本発明に係る比較回路の一実施例を示す回路図である。
【図２】極性反転回路の構成の具体例を示す説明図である。
【図３】制御信号の一例を示す説明図である。
【図４】従来の比較回路の一例を示す回路図である。
【図５】比較回路の入力部のトランジスタの動作を説明する説明図である。
【符号の説明】
【００６８】
１，２，６，９，１２  抵抗
３，４，５，７，８，１０，１１  トランジスタ
１３，１５  極性反転回路
１４  差動比較器
１６  演算制御手段
１００，１０１，１０５，１０６  入力信号
１０２  バイアス電圧信号
１０３，１０４，１０７，１０８  出力信号
１０９  制御信号
【図１】
0004747902.tif 000002
【図２】
0004747902.tif 000003
【図３】
0004747902.tif 000004
【図４】
0004747902.tif 000005
【図５】
0004747902.tif 000006